(57)【要約】      （修正有）【課題】衣料用の生地と縫い付けたときの表裏の反り返しがなく、テープ表裏の伸縮性がより均一な立体伸縮テープを提供する。【解決手段】鎖編と挿入糸で一方のニードル列で編成された平生地と、このニードル列と相対するニードル列とを往復して編みこまれた立体部を有し、これらを挿入糸が連結してなり、平生地と立体部の全体に、一方のニードル列のみにライクラー糸を編みこんでなることを特徴とする。【選択図】図２
0003152406.tif 000002
【実用新案登録請求の範囲】
【請求項１】
鎖編と挿入糸で一方のニードル列で編成された平生地と、このニードル列と相対するニードル列とを往復して編みこまれた立体部を有し、これらを挿入糸が連結してなり、平生地と立体部の全体に、一方のニードル列のみにライクラー糸を編みこんでなる立体伸縮性テープ。
【請求項２】
立体部が相対する同一列のニードルに掛け渡された編糸と挿入糸で編成されていることを特徴とする請求項１記載の立体伸縮性テープ。
【請求項３】
立体部がフロントニードルとバックニードルに交互に斜めに投げ渡される糸と、反対方向に交差して交互に斜めに投げ渡されることを特徴とする請求項１記載の立体伸縮性テープ。
【考案の詳細な説明】
【技術分野】
【０００１】
本考案は、伸縮性衣料の端部の補強、装飾用のために縫い付けられるテープに関するものである。
【背景技術】
【０００２】
衣料用テープの中で、端部の解れ防止や、強度の補強、見栄え等の装飾のために縫い付けられるテープは実用に供されている。
実用の衣料用テープは織物や編物により構成されている。特にテープの端部に筒状や、棒状に形成された凸部と、平面で形成された布地を持つテープは経編機により編成され、編地の立体構造により形成されている。テープの平生地はシングルの編地で構成され、その幅は１．５ｍｍ〜３ｍｍで有り実用上十分であった。
【０００３】
しかし従来の立体テープは、経糸で編まれた鎖編列の一側列より他の側列にかけて各鎖編列の裏側糸と表側糸との間に振り糸を順次通し先端部位で屈曲して蛇行上に往復させて編みこんだ左右一対の編地の間に、経糸で編まれた鎖編列を一側列より他側列にかけて各鎖編の裏側糸と表側糸との間にゴム糸の振り糸を順次通し先端部位で屈曲して蛇行上に往復させて編みこんだ中央編地を形成してなり、上記左右の編地は、その一方の編地の振り糸をその他方の編地の隣接する鎖編列に通すことにより互いに連結され、また上記中央編地は、その振り糸の両側を上記左右の編地の隣接する鎖編列に通すことにより左右の編地に連結した構成であってダブルラッシェル機で製作されたテープがある。しかし全体にスパンデックス糸を使用せずに部分的に使用してテープを湾曲させるため、伸縮性布地で構成された衣料本体と縫い付けた場合伸縮性が異なり、十分な機能性、余分な皺の発生等が解決されない欠点があった。  しかし、立体テープは、棒状に形成された凸部と、平面で形成された布地を持つテープは経編機により編成され、編地の立体構造により形成されている。棒状に形成された凸部はダブルラッシェル機で編成され凸部は表裏別々のニードルを使用して製造される。
平面で形成されたテープの布地部分は伸縮性を持たせるためにスパンデックス糸を挿入するなど可能であったが、凸部の伸縮性との均一性、バランスをとるのが困難であり、実用化できないでいた。そのため挿入しない立体テープが使用されてきたが、伸縮性布地で構成された衣料本体と縫い付けた場合伸縮性が異なり、十分な機能性、余分な皺の発生等の欠点があった。
【０００４】
しかし、立体テープは、棒状に形成された凸部と、平面で形成された布地を持つテープは経編機により編成され、編地の立体構造により形成されている。棒状に形成された凸部はダブルラッシェル機で編成され凸部は表裏別々のニードルを使用して製造される。
平面で形成されたテープの布地部分は伸縮性を持たせるためにスパンデックス糸を挿入するなど可能であったが、凸部の伸縮性との均一性、バランスをとるのが困難であり、実用化できないでいた。そのため挿入しない立体テープが使用されてきたが、伸縮性布地で構成された衣料本体と縫い付けた場合伸縮性が異なり、十分な機能性、余分な皺の発生等の欠点があった。
【先行技術文献】
【特許文献】
【０００５】
【特許文献１】実開昭５８−３４９８８号公報
【特許文献２】実開昭５８−３４９８９号公報
【考案の概要】
【考案が解決しようとする課題】
【０００６】
解決しようとする問題点は、衣料用の本体生地と、端部の補強、装飾のために縫い付けられるテープの伸縮性の違いによる伸縮時と伸張時の張力の違い、皺の発生、縫い合わせの困難等の障害を解決できない点である。
【課題を解決するための手段】
【０００７】
本考案は、シングルの編地のテープ平生地部分と、ダブル編地で形成された部分の伸縮性を均一にするのみならず、衣料用の生地と縫い付けたときの表裏の反り返しがなく、テープ表裏即ち筒状、棒状のダブル編地の表裏の伸縮性をより均一な伸縮性をえることを最も主要な特徴とする。
【考案の効果】
【０００８】
本実用新案の立体テープはシングルの編地のテープ本体生地と、ダブル編地で形成された立体部分の伸縮性を均一にするので、衣料用の生地と縫い付けたときの表裏の反り返しがなく、伸縮性を有する衣料用生地本体と伸縮を容易に合わせて製造することができた。
【図面の簡単な説明】
【０００９】
【図１】立体伸縮テープの編地を展開して示す組織拡大図である。（実施例１）
【図２】立体伸縮テープの編地を展開して示す組織拡大図である。（実施例２）
【図３】立体伸縮テープの編地、実施例１の斜視図である。
【図４】立体伸縮テープの編地、実施例２の斜視図である。
【考案を実施するための形態】
【００１０】
衣料用の生地と縫い付けたときの表裏の反り返しがなく、伸縮性を有する衣料用生地本体と伸縮を合わせるという目的を、ダブルニードル経編機の最小のガイドバーで、テープ
の外形を損なわずに実現した。
【実施例１】
【００１１】
図１は本考案の１実施例の立体伸縮テープの編地を展開して示す組織拡大図であって
１は略角棒状の立体部を形成する挿入糸、２は同じく立体部を形成する編目形成糸、３ははシングルの編地のテープ平生地部分を形成する編目形成糸、４はシングルの編地のテープ平生地部分を形成する挿入糸、５は伸縮性ライクラー糸である。またFはフロントニードル部、Bはバックニードル部である。
【００１２】
テープは１１ニードルを使用して編成してなり、右側７ウエールはシングルの編地のテープ平生地部分を形成し、左側４ウエールは略角棒状の立体部を形成する。テープ平生地部分は３の７本の合成繊維糸がバック側のニードルで鎖編を形成し、４の挿入糸９本により鎖編相互が連結されるとともに、平生地部分と左側の略角棒状の立体部とを連結しており、且つ左側の略角棒状の立体部のバック側の連結挿入糸となっている。
【００１３】
左側立体部はフロントニードル４本とバックニードル４本を使用して編成してなり、
２の合成繊維糸４本はフロントニードルと相対するバックニードルに交互に投げ渡され、１のフロント側の挿入糸２本と共に略角棒状の立体部を形成する。
【００１４】
５の伸縮性ライクラー糸は１１本からなり、平生地部分と左側の略角棒状の立体部とを全面に渡ってバック側のみのニードルに掛けられ編目を形成している。
【００１５】
１１はシングルの編地のテープ平生地部分であり、１２は略角棒状の立体部分である。
１３は略丸棒状の立体部分である。
【００１６】
ダブル経編機上の各糸を導くガイドバーの機上のチェーンリンク番号は、
１．  ０−０、  ８−８、  １２−１２、４−４。
２．  ４−０、  ４−０、  ０−４、    ０−４。
３．  ４−４、  ４−０、  ０−０、    ０−４。
４．  ４−４、  ０−０、  ８−８、    １２−１２。
５．  ０−０，  ０−４、  ４−４、    ４−０。
である。１ニードル毎に０，４，８，１２単位となっている。
【実施例２】
【００１７】
図２は本考案の１実施例の立体伸縮テープの編地を展開して示す他の組織拡大図であって６、そして７は略丸棒状の立体部を形成する編目糸、３はシングルの編地のテープ平生地部分を形成する編目形成糸、４はシングルの編地のテープ平生地部分を形成する挿入糸、５は伸縮性ライクラー糸である。またFはフロントニードル部、Bはバックニードル部である。
【００１８】
テープは１１ニードルを使用して編成してなり、右側７ウエールはシングルの編地のテープ平生地部分を形成し、左側４ウエールは棒状の立体部を形成する。テープ平生地部分は３の７本の合成繊維糸がバック側のニードルで鎖編を形成し、４の挿入糸９本により鎖編相互が連結されるとともに、平生地部分と左側の棒状の立体部とを連結している。
【００１９】
左側立体部はフロントニードル４本とバックニードル４本を使用して編成してなり、
７の合成繊維糸２本はフロントニードルとバックニードルに交互に斜めに投げ渡され、６の合成繊維糸２本はバックニードルとフロントニードルに２の糸と反対方向に交差して交互に斜めに投げ渡され、それぞれの糸の引き合い張力によって棒状の立体部を形成する。
【００２０】
５の伸縮性ライクラー糸は１１本からなり、平生地部分と左側の略角棒状の立体部とを全面に渡ってバック側のみのニードルに掛けられ編目を形成している。
【００２１】
ダブル経編機上の各糸を導くガイドバーの機上のチェーンリンク番号は、
６．  ８−１２、４−０、    ８−１２、  ４−０。
７．  ４−０、  ８−１２、  ４−０、    ８−１２。
３．  ４−４、  ４−０、    ０−０、    ０−４。
４．  ４−４、  ０−０、    ８−８、    １２−１２。
５．  ０−０，  ０−４、    ４−４、    ４−０。
である。１ニードル毎に０，４，８，１２単位となっている。
【００２２】
図３、図４の１１はシングルの編地のテープ平生地部分であり、１２は略角棒状の立体部分である、１３は略丸棒状の立体部分である。
【００２３】
本考案は以上のような構造であるので平生地部分と立体部分側のみに全面に渡って伸縮性ライクラー糸が編目構造で構成されておりテープが収縮したときと、テープが伸張したときにテープの反りが少なく、立体部の形状が維持される。
【産業上の利用可能性】
【００２４】
伸縮性のある衣料用身生地の端部の解れ防止や、強度の補強、見栄え等の装飾のために縫い付けられる伸縮性立体テープとして左右上下の反りがすくなく、十分な伸縮性を持っているので、スポーツ衣料、機能性衣料等の用途拡大におおいに役立つ。
【符号の説明】
【００２５】
１  挿入糸
２  編目形成糸
３  編目形成糸
４  挿入糸
５  伸縮性ライクラー糸
６  編目形成糸
７  編目形成糸
１１  テープ平生地部分
１２  テープ略角棒状立体部分
１３  テープ略丸棒状立体部分
【図１】
0003152406.tif 000003
【図２】
0003152406.tif 000004
【図３】
0003152406.tif 000005
【図４】
0003152406.tif 000006